(57)【特許請求の範囲】
【請求項１】
複数の翼部を備えた圧縮機用インペラを製造する方法であって、
上記インペラの中間製品の形状のキャビティを有する鍛造型を用いて、固体状の素材を型鍛造にて塑性加工して成型することにより、成型後に上記鍛造型を破壊又は変形させることなく型抜き可能な複数の翼部前駆体を形成した上記中間製品を作製する鍛造工程と、
上記翼部前駆体を所定の方向に曲げ加工する曲げ加工工程と、
上記翼部前駆体を所望の形状に切削加工して上記翼部を形成する切削加工工程とを順に行うことを特徴とする圧縮機用インペラの製造方法。
【請求項２】
請求項１において、上記鍛造工程及び上記曲げ加工工程は、熱間鍛造にて行うことを特徴とする圧縮機用インペラの製造方法。
【請求項３】
請求項１又は２において、上記曲げ加工工程では、上記翼部前駆体の曲げ加工形状に対応する押圧面を有する翼部曲げ型を用いて、上記翼部前駆体を上記押圧面により押圧して曲げ加工することを特徴とする圧縮機用インペラの製造方法。
【請求項４】
請求項１〜３のいずれか１項において、上記複数の翼部は、形状の異なる複数種類の翼部により構成されており、上記曲げ加工工程では、同じ種類の上記翼部となる上記翼部前駆体ごとに一度にまとめて曲げ加工することを特徴とする圧縮機用インペラの製造方法。
【請求項５】
請求項４において、上記複数の翼部には、上記回転軸方向の長さが互いに異なる複数の長翼部と複数の短翼部とが存在し、上記曲げ加工工程では、上記短翼部となる複数の上記翼部前駆体を一度にまとめて曲げ加工した後、上記長翼部となる複数の上記翼部前駆体を一度にまとめて曲げ加工することを特徴とする圧縮機用インペラの製造方法。
【請求項６】
請求項５において、上記長翼部と上記短翼部とは、上記インペラの上記回転軸を中心とする周方向に交互に配設されていることを特徴とする圧縮機用インペラの製造方法。
【請求項７】
請求項１〜６のいずれか１項において、上記鍛造工程では、上記中間製品に対して、その後の上記曲げ加工工程及び上記切削加工工程の少なくとも一方において上記中間製品を位置決めするための位置決め部を形成することを特徴とする圧縮機用インペラの製造方法。
【請求項８】
請求項１〜７のいずれか１項において、上記インペラは、過給機における圧縮機に用いられることを特徴とする圧縮機用インペラの製造方法。
【発明の詳細な説明】
【技術分野】
【０００１】
本発明は、複数の翼部を備えた圧縮機用インペラの製造方法に関する。
【背景技術】
【０００２】
例えば、自動車等の過給機（ターボチャージャー等）における圧縮機用のインペラとしては、複数の翼部を備えたものが一般的であり、複雑な形状を呈している。近年では、ターボチャージャー等の性能向上（例えば、高速回転化等）を実現するため、インペラに高い強度、高い形状精度が求められている。
【０００３】
このようなインペラを製造する方法としては、例えば、大きな塊状の素材を最終製品の形状に切削加工する方法がある。しかしながら、上記の製造方法では、製品１つ当たりの加工時間が長く、生産性が悪い。また、切削加工によって除去する部分が多いため、材料の歩留まりが悪い。
【０００４】
そこで、特許文献１には、最終製品に近い形状の中間製品を鋳造にて成形した後、翼部の曲げ加工を行ってインペラを製造する方法が開示されている。
また、特許文献２には、最終製品に近い形状の中間製品をダイカスト又は鍛造にて成形した後、翼部の曲げ加工を行ってインペラを製造する方法が開示されている。
また、特許文献３には、最終製品に近い形状の中間製品を鍛造にて成形した後、機械加工によって切削することによりインペラを製造する方法が開示されている。
【先行技術文献】
【特許文献】
【０００５】
【特許文献１】特開昭５９−１２０３３８号公報
【特許文献２】特開昭５８−７７７３７号公報
【特許文献３】特開２００５−４８７６９号公報
【発明の概要】
【発明が解決しようとする課題】
【０００６】
しかしながら、近年、ターボチャージャー等の高速回転化に対応するため、インペラに高い強度が求められているが、上記特許文献１の発明では、鋳造によって鋳巣等の内部欠陥が発生し、強度に影響を与えるという問題がある。
また、上記特許文献２の発明では、ダイカストにて中間製品を成形した場合、上記と同様に、鋳巣等の内部欠陥が発生し、強度に影響を与えてしまう。一方、鍛造にて中間製品を成形した場合、鋳巣等の内部欠陥の問題は解消できるものの、通常は圧縮機用インペラのような複雑な形状を精度良く成形することはできず、特に近年の高精度化の要求を満たすことはできない。また、翼部の曲げ加工を一枚ずつ工具等で行うため、生産性も悪い。
また、上記特許文献３の発明では、中間製品から最終製品にするまでにアンダーカット領域を含む多くの部分を切削加工しなければならないため、加工時間が長くなり、生産性が悪い。また、切削加工によって除去する部分も多いため、材料の歩留まりも悪い。
【０００７】
このように、上記特許文献１〜３等に開示されている従来のインペラの製造方法では、鋳造で問題となる鋳巣等のような内部欠陥の発生を防止して十分な強度を確保すること、複雑な形状であっても高い形状精度が得られること、全体として生産性の向上を図ること、をすべて満たすことはできなかった。
【０００８】
本発明は、かかる従来の問題点に鑑みてなされたもので、内部欠陥の発生を防止して十分な強度を確保でき、高い形状精度が得られ、さらには生産性の向上を図ることができる圧縮機用インペラの製造方法を提供しようとするものである。
【課題を解決するための手段】
【０００９】
本発明は、複数の翼部を備えた圧縮機用インペラを製造する方法であって、
上記インペラの中間製品の形状のキャビティを有する鍛造型を用いて、固体状の素材を型鍛造にて塑性加工して成型することにより、成型後に上記鍛造型を破壊又は変形させることなく型抜き可能な複数の翼部前駆体を形成した上記中間製品を作製する鍛造工程と、
上記翼部前駆体を所定の方向に曲げ加工する曲げ加工工程と、
上記翼部前駆体を所望の形状に切削加工して上記翼部を形成する切削加工工程とを順に行うことを特徴とする圧縮機用インペラの製造方法にある（請求項１）。
【発明の効果】
【００１０】
本発明の圧縮機用インペラの製造方法では、上記鍛造工程において、固体状の素材を型鍛造にて成型し、インペラの中間製品を作製する。そのため、鋳造で問題となる鋳巣等のような内部欠陥の発生を防止することができる。これにより、インペラの最終製品の強度を十分に確保することができる。
【００１１】
また、上記鍛造工程では、成型後に上記鍛造型を破壊又は変形させることなく型抜き可能な複数の翼部前駆体を形成した中間製品を作製する。そのため、型鍛造にて成型した後、容易に型抜きすることができる。これにより、上記鍛造工程を効率良く行うことができる。
また、上記鍛造工程では、素材を型鍛造にて成型するため、比較的短時間でインペラの中間製品を作製することができる。これにより、生産性の向上を図ることができる。
【００１２】
また、本発明では、上記曲げ加工工程の後に、上記切削加工工程を行う。すなわち、翼部前駆体を曲げ加工した後に、その翼部前駆体を切削加工して所望の形状とするため、翼部前駆体の曲げ加工に高い精度が要求されることはない。そのため、例えば、翼部前駆体に対して下型を配置して上型で押圧する（特許文献１参照）等、高い精度の曲げ加工を行う必要がなくなる。つまり、下型を用いることなく、上型のみで翼部前駆体の曲げ加工を行うことが可能となる。これにより、上記曲げ加工工程を効率良く行うことができ、生産性の向上を図ることができる。
【００１３】
また、上述のごとく、上記曲げ加工工程の後に、上記切削加工工程を行う。そのため、例えば、上記曲げ加工工程において曲げ加工した翼部前駆体の形状精度が多少悪くても、上記切削加工工程において翼部前駆体を所望の形状に切削加工することにより、形状精度の高い翼部を形成することができる。これにより、複雑な形状のインペラを製造する場合であっても、インペラの最終製品の形状精度を高いものとすることができる。
また、上記鍛造工程、上記曲げ加工工程、上記切削加工工程を順に行うことにより、材料の歩留まりを高く、かつ、複雑な形状を高精度に加工することができる。
【００１４】
よって、本発明のインペラの製造方法では、鋳造で問題となる鋳巣等のような内部欠陥の発生を防止して十分な強度を確保すること、複雑な形状であっても高い形状精度が得られること、全体として生産性の向上を図ること、をすべて満たすことができる。そして、これにより、高い強度、高い形状精度という近年の要求に応えることのできるインペラを効率良く製造することが可能となる。
【００１５】
このように、本発明によれば、内部欠陥の発生を防止して十分な強度を確保でき、高い形状精度が得られ、さらには生産性の向上を図ることができる圧縮機用インペラの製造方法を提供することができる。
【図面の簡単な説明】
【００１６】
【図１】実施例における、ターボチャージャーのコンプレッサハウジング周辺の構造を示す説明図。
【図２】実施例における、コンプレッサインペラの全体構造を示す斜視図。
【図３】実施例における、素材を示す斜視図。
【図４】実施例における、（ａ）、（ｂ）鍛造工程において作製した中間製品を示す斜視図。
【図５】実施例における、曲げ加工工程において短翼部前駆体を曲げ加工した中間製品を示す斜視図。
【図６】実施例における、曲げ加工工程において長翼部前駆体を曲げ加工した中間製品を示す説明図。
【図７】実施例における、（ａ）、（ｂ）鍛造工程の様子を示す説明図。
【図８】実施例における、（ａ）〜（ｃ）曲げ加工工程の様子を示す説明図。
【図９】実施例における、（ａ）〜（ｃ）翼部前駆体を翼部曲げ型を用いて曲げ加工する様子を示す説明図。
【発明を実施するための形態】
【００１７】
本発明において、上記インペラを構成する上記素材としては、例えば、アルミニウム合金等を用いることができる。特に、高温強度に優れたアルミニウム合金を用いることにより、上記インペラを自動車等の過給機（ターボチャージャ等）における圧縮機のインペラに適用することが可能となる。
また、「成型後に上記鍛造型を破壊又は変形させることなく型抜き可能な複数の翼部前駆体」の形状とは、例えば、上記インペラの回転軸に平行な方向に型抜き可能な形状や、上記インペラの回転軸を中心とする周方向にひねって回しながら型抜き可能な形状等がある。
【００１８】
また、上記鍛造工程及び上記曲げ加工工程は、熱間鍛造にて行うことが好ましい（請求項２）。
この場合には、複雑な形状の上記インペラを容易に製造することができる。すなわち、熱間鍛造を用いることによって上記素材が変形し易くなるため、上記鍛造工程においては、複雑な形状の上記中間製品を容易に成型することができる。また、上記曲げ加工工程においては、上記翼部前駆体の曲げ加工が容易となり、割れ等の発生を抑制することができる。
【００１９】
また、上記両工程を熱間鍛造にて行う場合には、上記素材を鍛造に適した温度に加熱した状態で成型して上記中間製品を作製した後、該中間製品を冷却することなく、温度を保持した状態で上記翼部前駆体の曲げ加工を行うことができる。この場合、上記両工程を連続的に行うことが可能となり、生産性の向上を図ることができる。また、上記曲げ加工工程において、上記翼部前駆体の曲げ加工時における割れ等の発生をさらに抑制することができる。
また、このとき、上記鍛造工程と上記曲げ加工工程とを３５０℃以上の温度で連続的に行うことが好ましい。すなわち、上記鍛造工程から上記曲げ加工工程へ移行する間にも、上記中間製品を３５０℃以上の温度に保つことが好ましい。
【００２０】
また、上記曲げ加工工程では、上記翼部前駆体の曲げ加工形状に対応する押圧面を有する翼部曲げ型を用いて、上記翼部前駆体を上記押圧面により押圧して曲げ加工することが好ましい（請求項３）。
この場合には、上記翼部前駆体を上記翼部曲げ型の上記押圧面に沿った形状に加工することができるため、生産性に優れている。また、上記翼部前駆体に対して下型等を用いることなく、すなわち上記翼部曲げ型（上型）のみを用いて上記翼部前駆体の曲げ加工を行うことができる。そのため、上記曲げ加工工程を効率良く行うことができ、生産性の向上を図ることができる。
【００２１】
また、上記曲げ加工工程では、複数の上記翼部前駆体を一度にまとめて曲げ加工することが好ましい。例えば、複数の上記押圧面を設けた上記翼部曲げ型を用いて曲げ加工することにより、これを実現することができる。
この場合には、上記曲げ加工工程を効率良く行うことができ、生産性の向上を図ることができる。
【００２２】
また、上記複数の翼部は、形状の異なる複数種類の翼部により構成されており、上記曲げ加工工程では、同じ種類の上記翼部となる上記翼部前駆体ごとに一度にまとめて曲げ加工することが好ましい（請求項４）。
この場合には、形状の異なる複数種類の上記翼部を備えた上記インペラを製造する場合であっても、上記曲げ加工工程を効率良く行うことができ、生産性の向上を図ることができる。
もちろんのことながら、同じ種類の上記翼部となる上記翼部前駆体を複数回に分けて曲げ加工することも可能である。
【００２３】
また、上記複数の翼部には、上記回転軸方向の長さが互いに異なる複数の長翼部と複数の短翼部とが存在し、上記曲げ加工工程では、上記短翼部となる複数の上記翼部前駆体を一度にまとめて曲げ加工した後、上記長翼部となる複数の上記翼部前駆体を一度にまとめて曲げ加工することが好ましい（請求項５）。
この場合には、上記曲げ加工工程を効率良く行うことができ、生産性の向上を図ることができる。
もちろんのことながら、上記長翼部又は上記短翼部となる上記翼部前駆体を複数回に分けて曲げ加工することも可能である。
【００２４】
また、上記長翼部と上記短翼部とは、上記インペラの上記回転軸を中心とする周方向に交互に配設されていることが好ましい（請求項６）。
この場合には、上記曲げ加工工程において、上記短翼部となる複数の上記翼部前駆体の曲げ加工を行った後に、上記長翼部となる複数の上記翼部前駆体の曲げ加工を行うことが非常に有効となる。
【００２５】
また、上記鍛造工程では、上記中間製品に対して、その後の上記曲げ加工工程及び上記切削加工工程の少なくとも一方において上記中間製品を位置決めするための位置決め部を形成することが好ましい（請求項７）。
この場合には、上記曲げ加工工程及び上記切削加工工程における上記中間製品の位置ずれを抑制することができる。そのため、曲げ加工及び切削加工の精度をより一層高めることができる。
なお、上記中間製品に形成する上記位置決め部は、その場所、形状、個数等を任意に設定することができる。
【００２６】
また、上記インペラは、過給機における圧縮機に用いられることが好ましい（請求項８）。
例えば、自動車等の過給機（ターボチャージャ等）における圧縮機に用いられるインペラは、高い強度、高い形状精度が要求される。よって、このような要求を満たすインペラを製造する場合には、本発明の製造方法を用いることが非常に有効である。
【実施例】
【００２７】
本発明の実施例にかかる圧縮機用インペラの製造方法について、図を用いて説明する。
本例において製造する圧縮機用インペラは、図１に示すごとく、自動車のターボチャージャー（過給機）１におけるコンプレッサ（圧縮機）用のインペラ３である。
【００２８】
同図に示すごとく、ターボチャージャー１は、エンジンの吸気通路に配設されるコンプレッサハウジング２にコンプレッサ用のインペラ３を備えている。インペラ３は、吸気入口部２１から流入させた吸気Ａ１を圧縮すると共に、その圧縮した吸気Ａ２を吸気出口部２２からスクロール室２３を通過してエンジンの燃焼室へと圧送することができるよう構成されている。
【００２９】
図２に示すごとく、インペラ３は、シャフト３９を貫通させる貫通孔４１を有するハブ部４と、ハブ部４の外周面４０に放射線状に形成された複数の翼部５とにより構成されている。
複数の翼部５は、インペラ３の回転軸３０の方向（以下、回転軸方向Ｘという）の長さが互いに異なる複数の長翼部５１と複数の短翼部５２とを有する。長翼部５１と短翼部５２とは、ハブ部４の外周面４０において、インペラ３の回転軸３０を中心とする周方向Ｙに交互に等間隔で配設されている。
【００３０】
長翼部５１は、インペラ３の先端（吸気入口部２１側の端部）に近い部分から後端（吸気出口部２２側の端部）にかけて配設されている。長翼部５１は、周方向Ｙに折り曲げて湾曲させた形状を呈している。
短翼部５２は、長翼部５１の先端よりも後退した位置からインペラ３の後端（吸気出口部２２側の端部）にかけて配設されている。短翼部５２も、周方向Ｙに折り曲げて湾曲させた形状を呈している。
【００３１】
次に、本例のインペラ３の製造方法について説明する。
本例のインペラ３の製造方法は、図３〜図９に示すごとく、以下の鍛造工程、曲げ加工工程、切削加工工程を順に行う。
鍛造工程では、インペラ３の中間製品３ａの形状のキャビティ６１１を有する鍛造型６１を用いて、固体状の素材３００ａを型鍛造にて成型することにより、成型後に鍛造型６１を破壊又は変形させることなく型抜き可能な複数の翼部前駆体５ａを形成した中間製品３ａを作製する。
曲げ加工工程では、翼部前駆体５ａを所定の方向に曲げ加工する。
切削加工工程では、翼部前駆体５ａを所望の形状に切削加工して翼部５を形成する。
以下、これを詳説する。
【００３２】
まず、図３に示すごとく、インペラ３を構成する固体状の素材３００ａを準備する。本例では、素材３００ａとして、円柱状のアルミニウム合金の塊を用いる。
【００３３】
次いで、鍛造工程においては、図７（ａ）に示すごとく、３５０℃以上に加熱した素材３００ａを中間製品３ａの形状のキャビティ６１１を有する鍛造型６１に配置する。このとき、鍛造型６１も３５０℃以上に加熱しておく。
そして、図７（ａ）、（ｂ）に示すごとく、鍛造型６１に対向配置されると共に素材３００ａを押し込むための押込面６２１を有する押込型６２を用いて、素材３００ａを鍛造型６１のキャビティ６１１に押し込む。
【００３４】
これにより、図４（ａ）に示すごとく、ハブ部前駆体４ａの外周面４０ａに複数の翼部前駆体５ａを形成した中間製品３ａを作製する。このとき、翼部前駆体５ａは、成型後に鍛造型６１を破壊又は変形させることなく型抜き可能な形状に形成する。本例では、翼部前駆体５ａをインペラ３の回転軸３０に略平行な方向（回転軸方向Ｘ（図２））に形成する。また、複数の翼部前駆体５ａには、最終的に長翼部５１となる複数の長翼部前駆体５１ａと短翼部５２となる複数の短翼部前駆体５２ａとが存在する。
なお、翼部前駆体５ａは、最終製品の翼部５よりも厚みを大きくしてある。例えば、翼部前駆体５ａの厚みを最終製品の翼部５の厚みの１．２〜３倍程度にしてある。あるいは、翼部前駆体５ａの厚みを最終製品の翼部５の厚みよりも０．３〜２ｍｍ厚くしてある。
【００３５】
ここで、図７（ａ）、（ｂ）に示すごとく、押込型６２は、押込面６２１に位置決め部形成凸部６２２を有している。
よって、図４（ｂ）に示すごとく、作製した中間製品３ａの基台部３１ａにおいて、押込型６２の押込面６２１に押し込まれた押込背面３１１ａには、その後の曲げ加工工程及び切削加工工程において中間製品３ａの位置決めを行うための凹形状の位置決め部３１２ａが形成される。本例では、位置決め部３１２は、円形状の凹部３１３ａと凹部３１３ａから四方に延びた溝部３１４ａとにより構成されている。
【００３６】
次いで、曲げ加工工程においては、図８（ａ）に示すごとく、鍛造工程から引き続き温度を３５０℃以上に保持した状態の中間製品３ａを台座６３に載置する。このとき、台座６３の上面６３１に中間製品３ａをその押圧背面３１１ａを下にして載置する。つまり、中間製品３ａの軸方向先端が鉛直上方を向くように載置する。そして、台座６３の上面６３１に形成された位置決め係合部６３２に、中間製品３ａの押込背面３１１ａに形成された位置決め部３１２ａを係合させる。これにより、台座６３に対する中間製品３ａの位置決めを行う。
【００３７】
そして、同図に示すごとく、最終的に短翼部５２となる短翼部前駆体５２ａの曲げ加工形状に対応する押圧面６４１を有する短翼部曲げ型６４を用いて、短翼部前駆体５２ａを押圧面６４１により押圧して曲げ加工する。短翼部曲げ型６４には、複数の短翼部前駆体５２ａに対応する複数の押圧面６４１が形成されているため、本例では、短翼部曲げ型６４によって複数の短翼部前駆体５２ａを一度にまとめて曲げ加工する。
【００３８】
また、各短翼部前駆体５２ａの曲げ加工は、具体的に以下のようにして行う。すなわち、図９（ａ）に示すごとく、短翼部曲げ型６４を鉛直下方へ移動させ、図９（ｂ）に示すごとく、短翼部前駆体５２ａを押圧面６４１により押圧し、徐々に荷重を加える。そして、図９（ｃ）に示すごとく、短翼部前駆体５２ａを押圧面６４１に沿った形状に湾曲させる。なお、中間製品３ａは、位置決め部３１２ａによって位置決めされているため、曲げ加工の際に移動することがない。
これにより、図５に示すごとく、中間製品３ａにおいて、短翼部前駆体５２ａは、周方向Ｙ（図２）に折り曲げて湾曲させた形状となる。
【００３９】
さらに、図８（ｂ）に示すごとく、最終的に長翼部５１となる長翼部前駆体５１ａの曲げ加工形状に対応する押圧面６５１を有する長翼部曲げ型６５を用いて、長翼部前駆体５１ａを押圧面６５１により押圧して曲げ加工する。長翼部曲げ型６５には、複数の長翼部前駆体５１ａに対応する複数の押圧面６５１が形成されているため、本例では、長翼部曲げ型６５によって複数の長翼部前駆体５１ａを一度にまとめて曲げ加工する。
【００４０】
また、各長翼部前駆体５１ａの曲げ加工は、短翼部前駆体５２ａの曲げ加工と同様に、図９（ａ）に示すごとく、長翼部曲げ型６５を鉛直下方へ移動させ、図９（ｂ）に示すごとく、長翼部前駆体５１ａを押圧面６５１により押圧し、徐々に荷重を加える。そして、図９（ｃ）に示すごとく、長翼部前駆体５１ａを押圧面６５１に沿った形状に湾曲させる。なお、中間製品３ａは、位置決め部３１２ａによって位置決めされているため、曲げ加工の際に移動することがない。
これにより、図６に示すごとく、中間製品３ａにおいて、長翼部前駆体５１ａは、周方向Ｙ（図２）に折り曲げて湾曲させた形状となる。
【００４１】
次いで、切削加工工程においては、図６、図８（ｃ）に示すごとく、翼部前駆体５ａ（長翼部前駆体５１ａ、短翼部前駆体５２ａ）の曲げ加工を行った中間製品３ａに対して、切削加工を行う。
本例では、翼部前駆体５ａを最終製品の翼部５の形状に加工する他、基台部３１ａの除去、貫通孔４１の形成等を行う。切削加工は、ＮＣ工作機械（数値制御工作機械）を用いて行う。なお、切削加工工程においても、中間製品３ａの位置決めに位置決め部３２１ａを利用することができる。
以上により、図２に示すインペラ３の最終製品を得る。
【００４２】
次に、本例のインペラ３の製造方法における作用効果について説明する。
本例のインペラ３の製造方法では、鍛造工程において、固体状の素材３００ａを型鍛造にて成型し、インペラ３の中間製品３ａを作製する。そのため、鋳造で問題となる鋳巣等のような内部欠陥の発生を防止することができる。これにより、インペラ３の最終製品の強度を十分に確保することができる。
【００４３】
また、鍛造工程では、成型後に鍛造型５１を破壊又は変形させることなく型抜き可能な複数の翼部前駆体５ａを形成した中間製品３ａを作製する。そのため、型鍛造にて成型した後、鍛造型５１及び押込型５２を容易に型抜きすることができる。これにより、鍛造工程を効率良く行うことができる。
また、鍛造工程では、素材３００ａを型鍛造にて成型するため、比較的短時間でインペラ３の中間製品３ａを作製することができる。これにより、生産性の向上を図ることができる。
【００４４】
また、本例では、曲げ加工工程の後に、切削加工工程を行う。すなわち、翼部前駆体５ａを曲げ加工した後に、その翼部前駆体５ａを切削加工して所望の形状とするため、翼部前駆体５ａの曲げ加工に高い精度が要求されることはない。そのため、例えば、翼部前駆体５ａに対して下型を配置して上型で押圧する（特許文献１参照）等、高い精度の曲げ加工を行う必要がなくなる。つまり、下型を用いることなく、上型（本例では短翼部曲げ型５４及び長翼部曲げ型５５）のみで翼部前駆体５ａの曲げ加工を行うことができる。これにより、曲げ加工工程を効率良く行うことができ、生産性の向上を図ることができる。
【００４５】
また、上述のごとく、曲げ加工工程の後に、切削加工工程を行う。そのため、例えば、曲げ加工工程において曲げ加工した翼部前駆体５ａの形状精度が多少悪くても、切削加工工程において翼部前駆体５ａを所望の形状に切削加工することにより、形状精度の高い翼部５を形成することができる。これにより、複雑な形状を有するインペラ３を製造する場合であっても、インペラ３の最終製品の形状精度を高いものとすることができる。
また、鍛造工程、曲げ加工工程、切削加工工程を順に行うことにより、材料の歩留まりを高く、かつ、複雑な形状を高精度に加工することができる。
【００４６】
よって、本例のインペラ３の製造方法では、鋳造で問題となる鋳巣等のような内部欠陥の発生を防止して十分な強度を確保すること、複雑な形状であっても高い形状精度が得られること、全体として生産性の向上を図ること、をすべて満たすことができる。そして、これにより、高い強度、高い形状精度という近年の要求に応えることのできるインペラ３を効率良く製造することが可能となる。
【００４７】
また、本例では、鍛造工程及び曲げ加工工程は、熱間鍛造にて行う。そのため、複雑な形状のインペラ３を容易に製造することができる。すなわち、熱間鍛造を用いることによって素材３００ａが変形し易くなるため、鍛造工程においては、複雑な形状の中間製品３ａを容易に成型することができる。また、曲げ加工工程においては、翼部前駆体５ａの曲げ加工が容易となり、割れ等の発生を抑制することができる。
【００４８】
また、両工程を熱間鍛造にて行う場合には、素材３００ａを鍛造に適した温度（本例では３５０℃以上）に加熱した状態で成型して中間製品３ａを作製した後、中間製品３ａを冷却することなく、温度を保持した状態で翼部前駆体５ａの曲げ加工を行う。そのため、両工程を連続的に行うことが可能となり、生産性の向上を図ることができる。また、曲げ加工工程において、翼部前駆体５ａの曲げ加工時における割れ等の発生をさらに抑制することができる。
【００４９】
また、鍛造工程では、翼部前駆体５ａを最終製品の翼部５よりも厚みを大きくして形成する。そのため、鍛造が容易となり、生産性の向上を図ることができる。また、このようにすることで、曲げ加工工程において曲げ加工した翼部前駆体５ａの形状精度が多少悪くても、切削加工工程において翼部前駆体５ａを切削加工することにより、その厚みを容易に調整することができる。
【００５０】
また、曲げ加工工程では、長翼部前駆体５１ａ及び短翼部前駆体５２ａの曲げ加工形状に対応する押圧面６５１、６４１を有する長翼部曲げ型６５及び短翼部曲げ型６４を用いて、長翼部前駆体５１ａ及び短翼部前駆体５２ａを押圧面６５１、６４１により押圧して曲げ加工する。そのため、一度の押圧によって翼部前駆体５ａを翼部曲げ型６５、６４の押圧面６５１、６４１に沿った形状に加工することができるため、生産性に優れている。また、翼部前駆体５ａに対して下型等を用いることなく、すなわち翼部曲げ型（上型）６５、６４のみを用いて翼部前駆体５ａの曲げ加工を行うことができる。これにより、曲げ加工工程を効率良く行うことができ、生産性の向上を図ることができる。
【００５１】
また、複数の翼部５には、回転軸方向Ｘの長さが互いに異なる複数の長翼部５１と複数の短翼部５２とが存在し、曲げ加工工程では、短翼部５２となる複数の短翼部前駆体５２ａを一度にまとめて曲げ加工した後、長翼部５１となる複数の長翼部前駆体５１ａを一度にまとめて曲げ加工する。このように、翼部前駆体５ａを一度にまとめて曲げ加工することにより、曲げ加工工程を効率良く行うことができ、生産性の向上を図ることができる。また、形状の異なる複数種類の翼部５を備えたインペラ３を製造する場合であっても、曲げ加工工程を効率良く行うことができ、生産性の向上を図ることができる。
【００５２】
また、鍛造工程では、中間製品３ａに対して、その後の曲げ加工工程及び切削加工工程において中間製品３ａを位置決めするための位置決め部３１２ａを形成する。そのため、曲げ加工工程及び切削加工工程における中間製品３ａの位置ずれを抑制することができる。これにより、曲げ加工及び切削加工の精度をより一層高めることができる。
【００５３】
また、本例において製造したインペラ３は、ターボチャージャー（過給機）１におけるコンプレッサ（圧縮機）に用いられる。自動車のターボチャージャー１におけるコンプレッサに用いられるインペラ３は、高い強度、高い形状精度が要求される。よって、このような要求を満たすインペラ３を製造する場合には、本例の製造方法を用いることが非常に有効である。
【００５４】
このように、本例によれば、内部欠陥の発生を防止して十分な強度を確保でき、高い形状精度が得られ、さらには生産性の向上を図ることができるインペラ３の製造方法を提供することができる。
【符号の説明】
【００５５】
１  ターボチャージャー
２  コンプレッサハウジング
３  インペラ（コンプレッサインペラ）
３ａ  中間製品
３００ａ  素材
４  ハブ
４ａ  ハブ部前駆体
５  翼部
５ａ  翼部前駆体
５１  長翼部
５１ａ  長翼部前駆体
５２  短翼部
５２ａ  短翼部前駆体
【図１】
0005465497.tif 000002
【図２】
0005465497.tif 000003
【図３】
0005465497.tif 000004
【図４】
0005465497.tif 000005
【図５】
0005465497.tif 000006
【図６】
0005465497.tif 000007
【図７】
0005465497.tif 000008
【図８】
0005465497.tif 000009
【図９】
0005465497.tif 000010